(57)【要約】【課題】下方に配列する熱交換器に導く風回路が形成されていないため、熱交換が十分行えないという課題を有していた。また風の流れが集中し風切り音の原因ともなっていた。【解決手段】可動パネル８の下方に設けた第１の吸込み部９、上方に設けた第２の吸込み部１０を具備した空気調和機に前記可動パネル８の下方に設けた第１の吸込み部９よりも下方に第３の吸込み部１０１を形成することにより、後方に配列された熱交換器３の下部まで誘導する風回路が形成され有効な熱交換を行うことができ、また熱交換器３を通過する時に発生する風切り音についても局部的に流れていた空気を今まで流れていなかった熱交換器３の下部にも流すことにより低減させた。【選択図】図２
2006194459.tif 000002
【特許請求の範囲】
【請求項１】
室内ユニットの前面グリルの下方に設けた第１の吸込み部、上方に設けた第２の吸込み部を具備した空気調和機に、前記第１の吸込み部よりも下方に第３の吸込み部を設けたことを特徴とする空気調和機。
【請求項２】
室内ユニットの前面グリルの下方に設けた第１の吸込み部、上方に設けた第２の吸込み部を具備した空気調和機に、前記第１の吸込み部と対向する熱交換器との間に前記前面グリルと非連続な面をもつ遮蔽壁を設けたことを特徴とする空気調和機。
【請求項３】
前面グリルの下方に設けた第１の吸込み部の投影面領域よりも下にエアフィルタの有効吸い込み域および下端を設けたことを特徴とする請求項１または２に記載の空気調和機。
【請求項４】
遮蔽壁の上端および下端は、第１の吸込み部および第３の吸込み部の開口部より空気調和機の内部が見えない大きさにしたことを特徴とする請求項１〜３のいずれか１項に記載の空気調和機。
【請求項５】
遮蔽壁の背面でエアフィルタを押さえたことを特徴とする請求項１〜４のいずれか１項に記載の空気調和機。
【発明の詳細な説明】
【技術分野】
【０００１】
本発明は、空気吸込み構造を有する空気調和機に関するものである。
【背景技術】
【０００２】
従来、この種の空気調和機は、前面グリルに別体で設けられた可動パネルの下方に設けた第１の吸込み部、上方に設けた第２の吸込み部を具備している（例えば、特許文献１参照）。
【０００３】
図１１および図１２は、特許文献１に記載された従来の空気調和機の空気吸込み構成を示すものである。図１１および図１２に示すように、１は室内ユニットで台枠２の上に熱交換器３、送風機４、駆動用のモータ５が配設されている。室内ユニット１の前面を覆う意匠的な前面グリル６の上方には空気を吸込む吸込み口７、開閉自在に別体で前面グリル６に取り付けられている可動パネル８の下方に設けた第１の吸込み部９、上方に設けた第２の吸込み部１０より室内の空気を吸込み、可動パネル８と熱交換器３との間に配設された集塵するためのエアフィルタ１２が前面グリル６に設けたガイドレール１３に沿って装着され、エアフィルタ１２の下端に形成した複数個の突起部１４は前面グリル６に設けたエアフィルタ受け部１５に形成した突起部１４と相対する切り欠き穴１６に挿入させ取り付ける構成となっている。
【特許文献１】特開２００４−２５７６２４号公報
【発明の開示】
【発明が解決しようとする課題】
【０００４】
しかしながら、前記従来の構成では、前面グリルの下方に設けた第１の吸込み部、上方に設けた第２の吸込み部から室内の空気を吸込む構成であり、第１の吸込み部を形成する前面グリルに設けたエアフィルタ受け部より下方に配列する熱交換器に導く風回路が形成されていないため熱交換器の下部まで誘導できず熱交換が十分行えないという課題を有していた。また風の流れが第１の吸込み部の後方吸込み領域に集中し風切り音の原因ともなっていた。
【０００５】
本発明はこのような従来の課題を解決するものであり、第１の吸込み部よりも下方に配列する熱交換器に導く風回路を形成し、また風の流れが第１の吸込み部の後方吸込み領域に集中しない空気調和機を提供することを目的とする。
【０００６】
また、前記従来の構成では、第１の吸込み部からエアフィルタや熱交換器が見えるため外観意匠を低下させるという課題を有していた。
【０００７】
本発明はこのような従来の課題を解決するものであり、吸込み部からエアフィルタや熱交換器が見えず、外観意匠を低下させない空気調和機を提供することを目的とする。
【課題を解決するための手段】
【０００８】
前記従来の課題を解決するために、本発明の空気調和機は、前面グリルの下方に設けた第１の吸込み部よりも下方に第３の吸込み部を設けたものである。
【０００９】
これによって、後方に配列された熱交換器の下部まで誘導する風回路が形成され有効な熱交換を行うことができる。また熱交換器を通過する時に発生する風切り音についても局部的に流れていた空気を今まで流れていなかった熱交換器の下部にも流すことにより低減させる。
【００１０】
また、本発明の空気調和機は、前面グリルの下方に設けた第１の吸込み部と対向する熱交換器の間に前面グリルと非連続な面をもつ遮蔽壁を設けたものである。
【００１１】
これによって、第１の吸込み部の風回路を分離し、第３の吸込み部を設けたものである。さらに第１の吸込み部および第３の吸込み部からエアフィルタや熱交換器を見えなくし、デザイン性を配慮させ外観意匠の意匠性を高めることができる。
【発明の効果】
【００１２】
本発明の空気調和機は、有効な熱交換を行うことができ、熱交換器を通過する風切り音も低減させるという効果を奏する。また、吸込み部から空気調和機内部のエアフィルタや熱交換器を見えなくし、デザイン性を配慮させ外観意匠の意匠性を高めるという効果を奏する。
【発明を実施するための最良の形態】
【００１３】
第１の発明は室内ユニットの前面グリルの下方に設けた第１の吸込み部よりも下方に第３の吸込み部を形成することにより、後方に配列された熱交換器の下部まで誘導する風回路が形成され有効な熱交換を行うことができる。さらに熱交換器を通過する風切り音も局部的に流れていた空気を今まで流れていなかった熱交換器の下部にも流すことにより低減させる。
【００１４】
第２の発明は、室内ユニットの前面グリルの下方に設けた第１の吸込み部と対向する熱交換器の間に、前面グリルと非連続な面をもつ遮蔽壁を設けることにより、第１の吸込み部の風回路を分離し、第３の吸込み部を設けたものである。さらに第１の吸込み部および第３の吸込み部からエアフィルタや熱交換器を見えなくし、デザイン性を配慮させ外観意匠の意匠性を高めることができる。
【００１５】
第３の発明は、特に、第１または第２の発明の空気調和機の前面グリルの下方に設けた第１の吸込み部の投影面領域よりも下にエアフィルタの有効吸い込み域および下端を設けたことにより、第３の吸込み部からエアフィルタを介して熱交換器下方まで風回路が形成され熱交換を有効にさせることができる。
【００１６】
第４の発明は、特に、第１〜３のいずれか１つの発明の空気調和機の遮蔽壁の上端および下端は、第１の吸込み部および第３の吸込み部の開口より空気調和機の内部が見えない範囲の大きさにしたもので、吸込み部から空気調和機内部のエアフィルタや熱交換器を見えなくし、デザイン性を配慮させ外観意匠の意匠性を高めることができる。また遮蔽壁によって第１の吸込み部の風回路を分離し、第３の吸込み部を設けたものである。
【００１７】
第５の発明は、特に、第１〜４のいずれか１つの発明の空気調和機の遮蔽壁の背面でエアフィルタを押さえたもので、エアフィルタの固定を確実なものにし、本体の振動によりエアフィルタが共振し発生する共振音を防止することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機の斜視図で、図２は、横断平面図である。図１および図２において、従来の技術の図１１および図１２と同じ構成要素については同じ符号を用い、説明を省略する。
【００２０】
図１および図２において、符号１で総括的に示すのは空気調和機の室内ユニットであり、図示しない接続配管、電源接続線、信号接続線等を介して図示しない室外ユニットと接続され、室内の壁面に設置されて、室内の冷暖房を主体に行うものである。室内ユニット１の外観は、樹脂成型の台枠２と前記台枠２の前面に設けられる樹脂成型の前面グリル６と前記前面グリル６の前面に開閉自在に着脱可能に取り付けた樹脂成型の可動パネル８とから構成されている。また、前面パネル６の上方の吸込み口７、可動パネル８の下方に設けた第１の吸込み部９、上方に設けた第２の吸込み部１０、第１の吸い込み部９より下方に設けた第３の吸込み部１０１より室内の空気を吸込み後方に配設されたエアフィルタ１２で吸込み空気を濾過する構成になっている。
【００２１】
以上のように構成された空気調和機について、以下その動作、作用を説明する。
【００２２】
まず、空気を取り入れる前面グリル上方に設けた吸込み口７、可動パネルの上方に設けた第２の吸込み部１０、下方に設けた第１の吸込み部９、第１の吸込み部９よりさらに下方に設けた第３の吸込み部１０１より駆動用のモータ５と送風機４で吸込んだ室内空気を前面グリル６に設けたガイドレール１３に配設したエアフィルタ１２を通過することにより埃等を濾過して吸込まれた空気は熱交換器３で熱交換され、前面グリル６の底面前方に傾斜して配置される吹出し部１０２より吹出される。
【００２３】
以上のように、本実施の形態において可動パネル８の下方に設けた第１の吸込み部９よりさらに下方に設けた第３の吸込み部１０１を形成することにより第１の吸込み部９より風回路上に位置しない熱交換器３の下部まで誘導する風回路が形成され有効な熱交換を行うことができる。
【００２４】
また、本実施の形態では可動パネルの下方に設けた第１の吸込み部９よりさらに下方に設けた第３の吸込み部１０１を形成することにより熱交換器３を通過する風切り音も局部的に流れていた空気を今まで流れていなかった熱交換器３の下部にも流すことにより低減させることができる。
【００２５】
（実施の形態２）
図３は、本発明の第２の実施の形態における可動パネルの斜視図である。図４は、可動パネルの裏面斜視図である。図３および図４において、図１および図２、図１１、図１２と同じ構成要素については同じ符号を用い、説明を省略する。
【００２６】
図３および図４において、可動パネル８の下方に第１の吸込み部９が形成され、可動パネル８の下端で第１の吸込み部９と対向する熱交換器の間に可動パネル８と非連続な面をもつ遮蔽壁１０３を設けた構成になっている。
【００２７】
以上のように、本実施の形態においては可動パネル８の下端で第１の吸込み部と対向する熱交換器の間に可動パネル８と非連続な面をもつ遮蔽壁１０３を形成することにより、第１の吸込み部９の風回路を分離し、第３の吸込み部１０１を設けたことになる。
【００２８】
この様な構成により、第１の吸込み部９よりさらに下方に設けた第３の吸込み部１０１を形成することにより、第１の吸込み部９より風回路上に位置しない熱交換器３の下部まで誘導する風回路が形成され有効な熱交換を行うことができる。
【００２９】
また、第１の吸込み部９よりさらに下方に第３の吸込み部１０１を形成することにより、熱交換器３を通過する風切り音も局部的に流れていた空気を今まで流れていなかった熱交換器３の下部にも流すことにより低減させることができる。
【００３０】
更に、遮蔽壁１０３を形成することにより、第１の吸込み部９および第３の吸込み部１０１から空気調和機内部のエアフィルタ１２や熱交換器３を見えなくし、デザイン性を配慮させ外観意匠の意匠性を高めるという効果を奏する。
【００３１】
（実施の形態３）
図５は、本発明の第３の実施の形態における空気調和機の可動パネルとエアフィルタの斜視図である。図６は前面グリル、可動パネル、エアフィルタの裏面斜視図である。図５および図６において、図１および図２、図３、図４、図１１、図１２と同じ構成要素については同じ符号を用い、説明を省略する。
【００３２】
図５および図６において、可動パネル８の下方に設けた第１の吸込み部９の投影面領域１０４よりも下にエアフィルタ１２の有効吸い込み域１０５および下端を設けた構成になっている。
【００３３】
以上のように、本実施の形態においては可動パネル８の下方に設けた第１の吸込み部９の投影面領域１０４よりも下にエアフィルタ１２の有効吸い込み域１０５および下端を設けたことにより、可動パネル８の下方に設けた第３の吸込み部１０１からエアフィルタ１２を介して熱交換器３の下方まで風回路が形成され熱交換を有効にさせることができる。
【００３４】
（実施の形態４）
図７は、本発明の第４の実施の形態における空気調和機の横断平面図である。図８は、横断平面要部拡大図である。図７および図８において、図１および図２、図３、図４、図５、図６、図１１、図１２と同じ構成要素については同じ符号を用い、説明を省略する。
【００３５】
図７および図８において、遮蔽壁１０３の上端１０３ａおよび下端１０３ｂは可動パネル８の下方に設けた第１の吸込み部９および可動パネルよりも下方に設けた第３の吸込み部１０１の開口部１１より空気調和機の内部が見えない範囲の大きさにした構成になっている。
【００３６】
即ち、可動パネル８と前面グリル６の間隙で、第１の吸込み部９および第３の吸込み部１０１の開口部１１と、可動パネル８と前面グリル６の室内ユニット内部構造の端点を結んだ範囲を覆う大きさとなっている。
【００３７】
具体的には、遮蔽壁１０３の上端１０３ａは、前面グリル６の上端点Ａと可動パネル８の内部構造下端点Ｂを結んだ延長点とし、下端１０３ｂは可動パネル８の下端点Ｃと前面グリル６の内部折り返し部端点Ｄを結んだ延長点としたもので遮蔽壁１０３により空気調和機の内部が見えないよう遮蔽したものである。
【００３８】
以上のように、本実施の形態においては遮蔽壁１０３の上端１０３ａおよび下端１０３ｂは可動パネル８の下方に設けた第１の吸込み部９および前記可動パネルよりも下方に設けた第３の吸込み部１０１の開口部１１より空気調和機の内部が見えない範囲の大きさにしたことにより、可動パネル８の下方に設けた第１の吸込み部９および第３の吸込み部１０１から空気調和機内部のエアフィルタ１２や熱交換器３を見えなくし、デザイン性を配慮させ外観意匠の意匠性を高めることができる。
【００３９】
また、本実施の形態ではまた遮蔽壁１０３によって第１の吸込み部９と第３の吸込み部１０１の風回路を分離させることができる。
【００４０】
（実施の形態５）
図９は、本発明の第５の実施の形態における空気調和機の横断平面図である。図１０は、横断平面要部拡大図である。図９および図１０において、図１および図２、図３、図４、図５、図６、図７、図８、図１１、図１２と同じ構成要素については同じ符号を用い、説明を省略する。
【００４１】
図９および図１０において、遮蔽壁１０３の背面１０３ｃでエアフィルタ１２を押さえ前面グリル６に形成したガイドレール１３と挟み込む構成になっている。
【００４２】
以上のように、本実施の形態ではエアフィルタ１２の固定を確実なものにし、本体の振動によりエアフィルタが共振し発生する共振音を防止することができる。
【産業上の利用可能性】
【００４３】
以上のように、本発明にかかる空気調和機は、第３の吸込み部或いは遮蔽壁を設けるという簡単な構成で、熱交換器を有効に使用し、また熱交換器を通過する風切り音も低減させるので、空気調和機の用途にも適用できる。
【図面の簡単な説明】
【００４４】
【図１】本発明の実施の形態１における空気調和機の斜視図
【図２】同一実施形態の空気調和機の横断平面図
【図３】本発明の実施の形態２における可動パネルの斜視図
【図４】同一実施形態の可動パネルの裏面斜視図
【図５】本発明の実施の形態３における可動パネルとエアフィルタの斜視図
【図６】同一実施形態の前面グリル、可動パネル、エアフィルタの裏面斜視図
【図７】本発明の実施の形態４における空気調和機の横断平面図
【図８】同一実施形態の空気調和機の横断平面要部拡大図
【図９】本発明の実施の形態５における空気調和機の横断平面図
【図１０】同一実施形態の空気調和機の横断平面要部拡大図
【図１１】従来の空気調和機の斜視図
【図１２】従来の空気調和機の横断平面図
【符号の説明】
【００４５】
６  前面グリル
７  吸込み口
８  可動パネル
９  下方に設けた第１の吸込み部
１０  上方に設けた第２の吸込み部
１１  開口部
１２  エアフィルタ
１０１  第３の吸込み部
１０２  吹出し部
１０３  遮蔽壁
１０３ａ  遮蔽壁の上端
１０３ｂ  遮蔽壁の下端
【図１】
2006194459.tif 000003
【図２】
2006194459.tif 000004
【図３】
2006194459.tif 000005
【図４】
2006194459.tif 000006
【図５】
2006194459.tif 000007
【図６】
2006194459.tif 000008
【図７】
2006194459.tif 000009
【図８】
2006194459.tif 000010
【図９】
2006194459.tif 000011
【図１１】
2006194459.tif 000012
【図１２】
2006194459.tif 000013
【図１０】
2006194459.tif 000014